(57)【特許請求の範囲】
【請求項１】
キセノン管の後方に位置する金属製反射傘の裏面に、金属製クリップを沿わせ、
この金属製クリップに、反射傘の両端部においてその前面に進出して、キセノン管を挟着保持する一対の弾性保持脚と、この一対の弾性保持脚がキセノン管を保持したとき反射傘裏面に密着する支持面と、この支持面と一対の弾性保持脚を接続する該支持面よりも幅狭の接続部とを設け、
金属製クリップの支持面は、断面山形をなす反射傘に沿う断面山形形状をなし、
金属製クリップの支持面の自由状態における山形形状の内角は、反射傘の断面山形形状の内角より小さく、該金属製クリップの支持面が拡径方向に弾性変形して反射傘裏面に密着することを特徴とするストロボ装置。
【請求項２】
請求項１記載のストロボ装置において、金属製クリップの支持面は、一対の弾性保持脚の略中央部に位置しているストロボ装置。
【請求項３】
請求項１または２記載のストロボ装置において、反射傘には、キセノン管の長さ方向の両端部に、金属製クリップの弾性保持脚を挿入する挿入部が形成されているストロボ装置。
【請求項４】
請求項１ないし３のいずれか１項記載のストロボ装置において、金属製クリップの支持面にはくびれ部が設けられ、このくびれ部の外側が、キセノン管にトリガ用の電圧を印加するリード線の半田付け部であるストロボ装置。
【請求項５】
請求項４記載のストロボ装置において、一対の弾性保持脚がトリガ用電極を兼ねるストロボ装置。
【発明の詳細な説明】
【０００１】
【技術分野】
本発明は、カメラのストロボ装置に関する。
【０００２】
【従来技術及びその問題点】
カメラのストロボは、反射傘に発光体であるキセノン管を固定する構造となっている。従来は、反射傘に貫通させたキセノン管の両端にシリコンゴム等の弾性体を掛け、これを反射傘側に引張ることで固定していた。しかし、反射傘裏面側でシリコンゴム等を取り回すため、反射傘の後方に少なくとも該ゴムの厚み分のスペースが必要である。カメラの小型化に従って狭くなるストロボ本体内にストロボ装置を配設するには、キセノン管の固定手段をこれより薄型にすることが必要である。
【０００３】
またストロボには、キセノン管の両端に接続される陰極と陽極の他に、キセノン管にトリガ用の電圧を印加するためのリード線がキセノン管の近傍に導電状態で固定される。このリード線は、反射傘へ直接に半田付けすると、広い反射面に熱が逃げてしまい、しかも半田自体が拡がってしまうため固定が困難であり、組立性が悪い。
【０００４】
【発明の目的】
本発明は、狭いスペースに配設可能で、しかも組立性に優れるストロボ装置を提供することを目的とする。
【０００５】
【発明の概要】
本発明のストロボ装置は、キセノン管の後方に位置する金属製反射傘の裏面に、金属製クリップを沿わせ、この金属製クリップに、反射傘の両端部においてその前面に進出して、キセノン管を挟着保持する一対の弾性保持脚と、この一対の弾性保持脚がキセノン管を保持したとき反射傘裏面に密着する支持面と、この支持面と一対の弾性保持脚を接続する該支持面よりも幅狭の接続部とを設け、金属製クリップの支持面は、断面山形をなす反射傘に沿う断面山形形状をなし、金属製クリップの支持面の自由状態における山形形状の内角は、反射傘の断面山形形状の内角より小さく、該金属製クリップの支持面が拡径方向に弾性変形して反射傘裏面に密着することを特徴とする。
【０００６】
この反射傘には、キセノン管の長さ方向の両端部に、金属製クリップの弾性保持脚を挿入する挿入部を形成し、該弾性保持脚を反射傘の裏面側から挿入することができる。
【０００７】
金属製クリップの支持面は、一対の弾性保持脚の略中央部に位置していることが望ましい。
【０００８】
金属製クリップの支持面には、くびれ部が設けられ、このくびれ部の外側を、キセノン管にトリガ用の電圧を印加するリード線の半田付け部とすることができる。くびれを設けたことにより半田付け作業が容易になる。また、金属製クリップの一部にトリガ用リード線が接続されるため、キセノン管を挟着保持する一対の弾性保持脚をトリガ用電極とすることができる。
【０００９】
【発明の実施の形態】
以下、図面に基づいて本発明を説明する。図１から図３は、本発明によるストロボ装置を適用した、自己推進式のフィルムカートリッジを使用するカメラの一実施形態を示している。このカメラは、カメラボディ１１の正面中央に、ズームレンズ鏡筒２１を有している。ズームレンズ鏡筒２１は、第１、第２レンズ鏡筒２２、２３からなり、光軸方向後方の収納位置と前方の撮影可能位置（ズーム範囲）との間を移動可能であり、収納位置ではカメラボディ１１内に収納される沈胴式となっている。ズームレンズ鏡筒２１は、カメラボディ１１内部に設けたズームモータによって光軸方向に駆動される。カメラボディ１１は正面に、収納されたズームレンズ鏡筒２１を保護する固定カバー１３、収納カバー１４、スライドカバー１５を備えている。固定カバー１３はカメラボディ１１に固定されていて、スライドカバー１５は、スライドレール１６に沿ってカメラボディ１１の長手方向に進退可能に支持されている。また収納カバー１４は、スライドカバー１５に連動し、スライドカバー１５が固定カバー１３に当接した閉鎖状態では固定カバー１３とスライドカバー１５との間に形成される縦長長方形の開口を閉鎖し（図１参照）、スライドカバー１５が固定カバー１３から離反した開放状態ではスライドカバー１５と同方向に移動し、かつスライドカバー１５の裏面まで完全に移動してズームレンズ鏡筒２１を露出させる（図２参照）。
【００１０】
このカメラには、スライドカバー１５が閉位置から全開位置に達する直前、及び全開位置から閉位置に若干移動させたときに作動するメインスイッチが設けられている。このメインスイッチは、スライドカバー１５が閉位置から全開位置に達する直前にオンして、スライドカバー１５が全開位置から閉位置に若干移動されるとオフするように構成されている。メインスイッチがオンになると、ズームモータが繰出方向に起動してレンズ鏡筒２２、２３が撮影可能位置まで駆動される。一方、メインスイッチがオフになると、ズームモータが収納方向に起動してレンズ鏡筒２２、２３が収納位置まで引き込まれる。
【００１１】
カメラボディ１１の正面左側には円筒状のグリップ部１２が形成されていて、このグリップ部１２の上端面に、大型のモードダイヤル１７と、モードダイヤル１７の軸部にレリーズボタン１９が設けられている。モードダイヤル１７はクリックストップタイプの回転ダイヤルであって、そのクリックストップ位置によって、自動露出モード、自動露出及び赤目軽減用プリ発光モード、スローシャッタモード、バルブ及び強制ストロボ発光モード、バルブモード、ストロボ強制発光モード、ストロボ発光停止モードを択一的に選択できる。レリーズボタン１９は２段スイッチであって、半押しで測光スイッチがオンして測光及び測距し、全押しでレリーズスイッチがオンして合焦及び露光処理、フィルム巻き上げ処理などを実行する。
【００１２】
カメラボディの正面にはさらに、カバー１４、１５を開放した状態で露出する、測光窓２７、ＡＦ窓２９及びファインダー窓３０が備えられている。
【００１３】
カメラボディ１１の上面にはポップアップストロボ２５が設けられる。このポップアップストロボ２５は、ストロボ発光部９０とこれを可動に支持するギヤリンク機構とからなっている。
【００１４】
図４から図６は、カメラボディ１１内部におけるポップアップストロボ２５の動作状態を示している。ストロボ発光部９０は、前面に透明のストロボレンズ９１を配し、天板９２の両端付近から側板９３ａ、９３ｂが延設されている。各側板９３ａ、９３ｂには、一対の張り出し部９４が形成されている。
【００１５】
カメラボディ１１には、ストロボ発光部９０を収納可能なストロボ収納部４１が形成されている。ストロボ発光部９０は、その左右の側板９３ａ、９３ｂに付属するリンク機構５０によって、このストロボ収納部４１内の非使用位置（収納位置）と、カメラボディ１１から突出する使用可能位置とに移動可能に支持されている。このリンク機構５０は左右で同様の構成であり、以下では側板９３ａ（図４の向かって左側）に設けられるリンク機構５０のみを簡潔に説明する。
【００１６】
リンク機構５０は、ストロボ発光部９０を支持するＬ字型リンク５１と、一端をこのＬ字型リンク５１と相対回動自在に接続されたＣ字型リンク５２と、一端でストロボ発光部９０を支持する駆動レバー５３とからなっている。Ｃ字型リンク５２と駆動レバー５３の他端部は箱状のストロボ支持体４２に軸支されている。また、Ｌ字型リンク５１と駆動レバー５３とが相対回動可能に接続されている。このリンク機構５０は、駆動レバー５３が図５の下降回動位置にあるときにはストロボ発光部９０を非使用位置に引き込み、駆動レバー５３が図６の上昇回動位置にあるときにはストロボ発光部９０を使用可能位置にポップアップさせる。
【００１７】
ストロボ支持体４２の下部には、ズームレンズ鏡筒２１が収納位置と撮影可能位置の間を移動するのに伴ってカメラの前後方向に進退される鏡筒従動ピン５５が配置される。鏡筒従動ピン５５の係合突起５７は、ストロボ支持体４２の下部に軸支された回動板５８に係合してこれを回動させ、回動板５８と同軸の第１ギヤ５９がこれに伴って回動される。上記駆動レバー５３の回動軸部の周縁には第１ギヤ５９と噛み合う第２ギヤ４８が形成されている。駆動レバー５３はトーションばね４９で上昇回動位置に付勢されている。従って、ズームレンズ鏡筒２１が収納位置にあるときにはギヤ４８、５９が駆動レバー５３を下降回動位置に係止し、ストロボ発光部９０は非使用位置にある。そしてズームレンズ鏡筒２１が撮影可能位置に進出されると、トーションばね４９の撓み解放が許されて、ストロボ発光部９０が使用位置にポップアップするよう連動している。
【００１８】
図７から図１１は、このポップアップストロボ２５のストロボ発光部９０内部におけるストロボ装置を示している。金属材料からなる反射傘６０（図７参照）は、前方開口６１を上記ストロボレンズ９１に臨ませて、この前方開口６１から内方へ進むに従い徐々に開口径を小さくする傘状に形成されている。反射傘６０の内壁６２は、円筒管を保持することが可能な円筒形状に閉じられており、反射傘６０は断面山形形状をなしている。反射傘６０の両側面は、一対の側板６３が設けられていて反射傘６０の形状を保持している。反射傘６０内部の内壁６２の両端は矩形状に切り欠かれていて、反射傘６０の両側板６３のとの間に一対の挿入開口（挿入部）６４が形成されている。各挿入開口６４には、金属製クリップ６５の両端に設けた一対のキセノン管保持脚６６が挿入される。それぞれのキセノン管保持脚６６は、対向する一対の脚部６６ａ、６６ｂからなっている。
【００１９】
図８に金属製クリップ６５の斜視図を示した。この金属製クリップ６５は燐青銅からなっており、両端のキセノン管保持脚６６と、これを接続する直線状の接続部６７と、該接続部６７の略中央に設けたクリップ支持部６８とを有している。このクリップ支持部６８は、反射傘６０の裏面側に沿う山形形状をなしており、該クリップ支持部６８が自由状態にあるときの山形形状の内角は、上記反射傘６０の断面山形形状の内角より小さく設定されている。一対のキセノン管保持脚６６を最奥まで挿入開口６４に挿入すると、接続部６７及びクリップ支持部６８は、反射傘６０の裏面に当て付く。このとき、クリップ支持部６８の山形形状の内角が、反射傘６０の断面山形形状の内角よりも小さいため、クリップ支持部６８が拡がって反射傘６０の裏面に密着することができる。この装着状態において、自由状態のキセノン管保持脚６６は、図１１に２点鎖線で示す形状をなしていて、脚部６６ａ、６６ｂを接離させる方向への一定量の弾性変形が可能となっている。
【００２０】
反射傘６０の裏面に沿って密着している接続部６７及びクリップ支持部６８の厚さは、従来のキセノン管固定用のシリコンゴムの厚さに比して、反射傘６０の裏面側からの突出量が少ない。クリップ支持部６８の一辺部はくびれて半田付け部６９が延長されている。この半田付け部６９に、トリガ用リード線７０が半田付けされる。半田付け部６９とクリップ支持部６８の間にはくびれが設けられているので、半田付け部６９からクリップ支持部６８への熱伝導をある程度抑えることができる。つまり、半田付け部６９が温まり易い。また、半田が半田付け部６９より外に拡がりにくい。これらの理由から、トリガ用リード線７０の半田付けが容易に行える。この半田付けは、キセノン管保持脚６６を挿入開口６４に通す前に行うと作業性がよい。
【００２１】
金属製クリップ６５が装着された状態で、反射傘６０にキセノン管７１を装着する。キセノン管７１は、内部にキセノンガスが封入されたガラス製の円筒直管であり、両端部が反射傘６０の側部から突出する長さを有している。キセノン管７１を装着するときは、上記一対のキセノン管保持脚６６を図１１に実線で示す状態まで拡げてキセノン管７１を挟着保持させる。拡がったキセノン管保持脚６６は挿入開口６４からの抜け止めがなされた状態となる。同時に、クリップ支持部６８が弾性変形した状態で反射傘６０の裏面に密着している。これによってキセノン管７１は、反射傘６０の内壁６２に密着して保持される。
【００２２】
キセノン管７１の両端は、ストロボ発光部９０の張り出し部９４内に突出しており、該両端には陰極７２と陽極７３が接続している。この陰極７２及び陽極７３は不図示のメインコンデンサに接続される。一方、トリガ用リード線７０は高電圧発生用のトリガ回路（不図示）に接続されている。キセノンガスは電気的には絶縁体であり、通常はメインコンデンサに蓄えた電気はキセノン管７１内には流れない。そして、トリガ用リード線７０を介して半田付け部６９（クリップ支持部６８）に高電圧を加えると、金属製クリップ６５の一部をなす一対のキセノン管保持脚６６に高電圧が伝達される。キセノン管７１は、近傍に高電圧が印加されると絶縁が破壊される。絶縁が破壊されると、メインコンデンサに蓄えられた電気がキセノン管７１に流れて放電し、そのときのジュール熱でキセノンガスが加熱されて光が放出される。つまり、一対のキセノン管保持脚６６は、ストロボ装置のトリガ用電極を兼ねている。
【００２３】
トリガ回路及びメインコンデンサは、カメラ内に設けたＣＰＵによって制御されている。例えば、ポップアップストロボ２５が使用位置にあるときのみ発光するように制御されている。また、上記モードダイヤル１７で選択した発光モードや、カメラの自動露出機構に連動してストロボの発光制御が行われる。
【００２４】
以上から明らかなように、キセノン管７１の固定には、反射傘６０の内壁６２から突出する一対のキセノン管保持脚６６を用いているため、反射傘６０の裏面側へ突出する部材の厚みがほとんどない。加えて、このキセノン管保持脚６６をトリガ用電極として用いることができる。また、一体の金属製クリップ６５を嵌め込むだけなので組立性が良く、該金属製クリップ６５の一部に半田付け部６９を設けたので半田付け作業が容易である。
【００２５】
上記実施形態では、本発明のストロボ装置をポップアップ式のカメラ内蔵ストロボに適用したが、本発明は別タイプのストロボにも適用可能であることは言うまでもない。
【００２６】
【発明の効果】
以上のように本発明によれば、狭いスペースに配設可能で、しかも組立性に優れるストロボ装置を提供することができる。
【図面の簡単な説明】
【図１】本発明によるストロボ装置を適用するカメラの、撮影レンズ収納状態の正面図である。
【図２】同カメラの撮影可能状態の正面図である。
【図３】同カメラの撮影可能状態の平面図である。
【図４】本発明によるストロボ装置を内蔵したポップアップストロボの、使用状態における正面図である。
【図５】同ポップアップストロボの非使用（収納）状態の左側面図である。
【図６】同ポップアップストロボの使用可能状態の左側面図である。
【図７】本発明のストロボ装置の反射傘を示す正面図である。
【図８】同ストロボ装置の金属製クリップを示す斜視図である。
【図９】ストロボ装置の正面図である。
【図１０】ストロボ装置の平面図である。
【図１１】同ストロボ装置の側面図である。
【符号の説明】
１１  カメラボディ
２５  ポップアップストロボ
４１  ストロボ収納部
４２  ストロボ支持体
５０  リンク機構
６０  反射傘
６４  挿入開口（挿入部）
６５  金属製クリップ
６６  キセノン管保持脚
６７  接続部
６８  クリップ支持部
６９  半田付け部
７０  トリガ用リード線
７１  キセノン管
９０  ストロボ発光部
【図１】
0003831463.tif 000002
【図２】
0003831463.tif 000003
【図３】
0003831463.tif 000004
【図４】
0003831463.tif 000005
【図５】
0003831463.tif 000006
【図６】
0003831463.tif 000007
【図７】
0003831463.tif 000008
【図８】
0003831463.tif 000009
【図９】
0003831463.tif 000010
【図１０】
0003831463.tif 000011
【図１１】
0003831463.tif 000012